(57)【要約】【課題】  データ管理の視覚化が可能なデータ表示装置の提供。【解決手段】  保存配置表示部１１にはデータ１１ｂと、１１ｃと、１１ｄとが表示され、データごとに対応色で容量の割合で塗りつぶされている。初期画面では、表示順番の先頭のデータにフォーカスを当てる。データ１１ｂに太線の枠が施されているが、この枠がフォーカス表示１１ａである。データ名称表示部１２にはフォーカスされているデータの名称が表示される。このフォーカスされているデータに対してデータ操作を行うことが可能となる。【選択図】      図２                                                  
2005275637.tif 000002
【特許請求の範囲】
【請求項１】
データを表示するデータ表示装置であって、
データ保存領域に格納される１個または複数のデータを、データまたはデータ種毎に対応する色でかつ容量の割合で画面表示部に表示するデータ管理画面作成手段を含むことを特徴とするデータ表示装置。
【請求項２】
前記データ管理画面作成手段は前記画面表示部に表示されるデータまたはデータ種の中から所望のデータまたはデータ種を選択し、かつそのデータまたはデータ種が選択されていることを表示するフォーカス表示を行うことを特徴とする請求項１記載のデータ表示装置。
【請求項３】
前記データ管理画面作成手段は、前記選択したデータまたはデータ種の名称を前記画面表示部に表示することを特徴とする請求項２記載のデータ表示装置。
【請求項４】
前記データ保存領域に格納される１個または複数のデータにはデータまたはデータ種毎に対応する色が設定されていることを特徴とする請求項１から３いずれかに記載のデータ表示装置。
【請求項５】
前記１個または複数のデータをデータ種別に分類し、かつ前記データ種と表示色とを関連づけた表示色設定テーブルを含むことを特徴とする請求項１から４いずれかに記載のデータ表示装置。
【請求項６】
前記表示色設定テーブルは初期設定用とユーザー設定用の２種が設けられることを特徴とする請求項５記載のデータ表示装置。
【請求項７】
前記データ管理画面作成手段は、前記選択したデータまたはデータ種の容量、日付等のデータに関する情報を前記画面表示部に表示することを特徴とする請求項３から６いずれかに記載のデータ表示装置。
【請求項８】
データを表示するデータ表示方法であって、
データ保存領域に格納される１個または複数のデータを、データまたはデータ種毎に対応する色でかつ容量の割合で画面表示部に表示するデータ管理画面作成ステップを含むことを特徴とするデータ表示方法。
【請求項９】
前記データ管理画面作成ステップは前記画面表示部に表示されるデータまたはデータ種の中から所望のデータまたはデータ種を選択し、かつそのデータまたはデータ種が選択されていることを表示するフォーカス表示を行うことを特徴とする請求項８記載のデータ表示方法。
【請求項１０】
前記データ管理画面作成ステップは、前記選択したデータまたはデータ種の名称を前記画面表示部に表示することを特徴とする請求項９記載のデータ表示方法。
【請求項１１】
前記データ保存領域に格納される１個または複数のデータにはデータまたはデータ種毎に対応する色が設定されていることを特徴とする請求項８から１０いずれかに記載のデータ表示方法。
【請求項１２】
前記１個または複数のデータをデータ種別に分類し、かつ前記データ種と表示色とを関連づけた表示色設定テーブルを含むことを特徴とする請求項８から１１いずれかに記載のデータ表示方法。
【請求項１３】
前記表示色設定テーブルは初期設定用とユーザー設定用の２種が設けられることを特徴とする請求項１２記載のデータ表示方法。
【請求項１４】
前記データ管理画面作成ステップは、前記選択したデータまたはデータ種の容量、日付等のデータに関する情報を前記画面表示部に表示することを特徴とする請求項１０から１３いずれかに記載のデータ表示方法。
【請求項１５】
データを表示するデータ表示方法をコンピュータに実行させるためのプログラムであって、
データ保存領域に格納される１個または複数のデータを、データまたはデータ種毎に対応する色でかつ容量の割合で画面表示部に表示するデータ管理画面作成ステップを含むことを特徴とするプログラム。
【請求項１６】
前記データ管理画面作成ステップは前記画面表示部に表示されるデータまたはデータ種の中から所望のデータまたはデータ種を選択し、かつそのデータまたはデータ種が選択されていることを表示するフォーカス表示を行うことを特徴とする請求項１５記載のプログラム。
【請求項１７】
前記データ管理画面作成ステップは、前記選択したデータまたはデータ種の名称を前記画面表示部に表示することを特徴とする請求項１６記載のプログラム。
【請求項１８】
前記データ保存領域に格納される１個または複数のデータにはデータまたはデータ種毎に対応する色が設定されていることを特徴とする請求項１５から１７いずれかに記載のプログラム。
【請求項１９】
前記１個または複数のデータをデータ種別に分類し、かつ前記データ種と表示色とを関連づけた表示色設定テーブルを含むことを特徴とする請求項１５から１８いずれかに記載のプログラム。
【請求項２０】
前記表示色設定テーブルは初期設定用とユーザー設定用の２種が設けられることを特徴とする請求項１９記載のプログラム。
【請求項２１】
前記データ管理画面作成ステップは、前記選択したデータまたはデータ種の容量、日付等のデータに関する情報を前記画面表示部に表示することを特徴とする請求項１７から２０いずれかに記載のプログラム。
【発明の詳細な説明】
【技術分野】
【０００１】
本発明は、データ表示装置およびその表示方法ならびにプログラムに関し、特に携帯電話やパーソナルコンピュータ等のメモリ管理のインターフェースに用いられるデータ表示装置およびその表示方法ならびにプログラムに関する。
【背景技術】
【０００２】
一般に、携帯電話やパーソナルコンピュータ等にはテキストデータや画像データ等を表示するための画面表示部が設けられている。
【０００３】
携帯電話やパーソナルコンピュータ等のデータ保存領域は有限であるため、ユーザーは不要になったデータや使用頻度が低いデータの削除や外部への移動を行う必要がある。その対象となるデータを選択するにあたり、データの内容をチェックしながら決めたり、機械的に日付の古い順や、使用率の順、容量の大きい順に操作対象を決めたりするが、そのような操作を行っても空き容量が十分確保できず、繰り返し選択を行わなければならない場合がある。
【０００４】
それらの作業が増える要因として、各データがどれくらいデータ保存領域を占有しており、かつ  操作後のデータ保存領域と未使用領域の割合がどのようになるのかをユーザーが想像しにくいためと考えられる。
【０００５】
一方、このようなデータ管理を容易にするための技術として、ファイルごとに、重要度にリンクした表示形式、文字色、文字サイズ、文字フォントで表示する技術が特許文献１に開示され、名前および電話番号データをビジネス１，２、フレンド１，２、ファミリー等の項目に分けて異なるカラーで表示し、色分けして登録されたデータ件数をその項目ごとの色により表示する技術が特許文献２に開示され、メモリ残量を表示装置に表示する技術が特許文献３に開示されている。
【０００６】
【特許文献１】特開２００１−１７５５１５号公報（段落００１３、図１）
【特許文献２】特開平９−９１２９８号公報（段落００１２、図１）
【特許文献３】特開平６−１９７７９号公報（段落０００９、図１）
【発明の開示】
【発明が解決しようとする課題】
【０００７】
しかし、特許文献１および２に開示されている技術はファイルごとあるいは項目ごとに色分けして画面表示するものであり、色分けで示されるのはデータ件数である。したがって、データ容量を表示するものでない以上、各ファイルあるいは各項目データがメモリ全容量の何パーセントを占有しているか、あるいはメモリの空き容量がどれくらい存在するかを視覚的に確認することはできない。
【０００８】
また、特許文献３に開示されている技術は単にメモリ残量を表示装置に表示する技術が開示されているに過ぎない。
【０００９】
そこで本発明の目的は、データ管理の視覚化が可能なデータ表示装置およびその表示方法ならびにプログラムを提供することにある。
【課題を解決するための手段】
【００１０】
前記課題を解決するために本発明によるデータ表示装置は、データを表示するデータ表示装置であって、データ保存領域に格納される１個または複数のデータを、データまたはデータ種毎に対応する色でかつ容量の割合で画面表示部に表示するデータ管理画面作成手段を含むことを特徴とする。
【００１１】
また、本発明によるデータ表示方法は、データを表示するデータ表示方法であって、データ保存領域に格納される１個または複数のデータを、データまたはデータ種毎に対応する色でかつ容量の割合で画面表示部に表示するデータ管理画面作成ステップを含むことを特徴とする。
【００１２】
また、本発明によるプログラムは、データを表示するデータ表示方法をコンピュータに実行させるためのプログラムであって、データ保存領域に格納される１個または複数のデータを、データまたはデータ種毎に対応する色でかつ容量の割合で画面表示部に表示するデータ管理画面作成ステップを含むことを特徴とする。
【００１３】
すなわち、本発明によれば、データをそのデータに対応する色でかつ容量の割合で画面表示部に表示する。
【発明の効果】
【００１４】
本発明によれば、上記構成を有することにより、データ管理の視覚化が可能となる。
【発明を実施するための最良の形態】
【００１５】
以下、本発明の実施の形態について添付図面を参照しながら説明する。
【実施例１】
【００１６】
図１は本発明に係るデータ表示装置の第１実施例の構成図である。同図を参照すると、本発明に係るデータ表示装置は画面表示部２０と、制御部３０とから構成される。本実施例では、一例として、画面表示部２０がハードウエアで、制御部３０がソフトウエアでそれぞれ構成されている。
【００１７】
画面表示部２０はユーザーの要求を受け取るキー入力回路１と、データ管理画面の表示を行う表示画面２とを含んでいる。
【００１８】
制御部３０はデータ保存領域の内容を視覚化した画面データを作成するデータ管理画面作成部３と、データ保存領域の読み出し、書き込み等を行うデータ制御部４と、データ管理画面データを表示画面２に転送する表示画面制御部５と、テキストデータや画像データ等が格納されているデータ保存領域６とを含んでいる。また、保存されている全てのデータには、予めデータ管理画面にて表示する色が付加されている。
【００１９】
図２は表示画面２の表示例の一例を示す図である。同図を参照すると、表示画面２は保存配置表示部１１と、データ名称表示部１２との２つを含んで構成される。保存配置表示部１１には一例としてデータ１１ｂと、１１ｃと、１１ｄとが表示されている。これらデータ１１ｂ〜１１ｄはデータごとに対応色で容量の割合で塗りつぶされている。
【００２０】
初期画面では、表示順番の先頭のデータにフォーカスを当てる。すなわち、頭のデータを選択する。本実施例では同図のデータ１１ｂに太線の枠が施されているが、この枠がフォーカス表示１１ａである。すなわち、現在フォーカスされているのはデータ１１ｂであることを示している。
【００２１】
データ名称表示部１２にはフォーカスされているデータの名称が表示される。このフォーカスされているデータに対してデータ操作を行うことが可能となる。
【００２２】
図３は図２に表示されたデータの具体例を示す図である。図３を参照すると、図２に示すデータ１１ｂは一例として表示順番が１番、データ種別が撮影画像、占有量が５０パーセント、点灯色が赤であることを示し、データ１１ｃは一例として表示順番が２番、データ種別が電話帳、占有量が２５パーセント、点灯色が青であることを示し、データ１１ｄは一例として表示順番が３番、データ種別が未使用、占有量が２５パーセント、点灯色が白であることを示している。
【００２３】
なお、データを色で表示する代わりに、図２に示すように、一例としてデータ１１ｂの赤の代わりに斜線、データ１１ｃの青の代わりに横線、データ１１ｄの白の代わりに無地で表示してもよい。
【００２４】
次に、第１実施例の動作について説明する。図４は第１実施例の動作を示すフローチャートである。
【００２５】
同図を参照すると、キー入力回路１にユーザー入力があり（Ｓ１）、データ管理画面の表示要求があった場合（Ｓ２にてＹの場合）は、データ管理画面作成部３は、データ制御部４を通じて、データ格納領域６から全データの名称、容量、表示色を取得する（Ｓ３）。
【００２６】
そして、データ管理画面作成部３は、それらのデータを使用して、データ管理画面を作成し（Ｓ４）、表示画面制御部５に依頼する（Ｓ５）。
【００２７】
次に、表示画面制御部５は、作成したデータ表示を表示画面２に転送し、データ管理画面を表示する（Ｓ６）。
【００２８】
一方、キー入力回路１にて、フォーカス位置変更要求がある場合は（Ｓ２にてＮ、ならびにＳ７にてＹの場合）、フォーカス位置を変更し、該当するデータを表示する画面データを作成（Ｓ８）し、同様に出力する。
【００２９】
また、キー入力回路１にて、データ操作要求がある場合（Ｓ２にてＮ、Ｓ７にてＮ、ならびにＳ９にてＹの場合）は、データ制御部４は、該当データの操作（削除や移動）を行う（Ｓ１０）。そして、データ管理画面作成部３にて、更新されたデータ保存領域６の表示を行う（Ｓ３からＳ６まで）。
【００３０】
なお、ステップＳ９にてデータ操作要求がない場合は（Ｓ９にてＹの場合）、動作終了となる。
【００３１】
以上説明したように、本発明の第１実施例によれば、各データ容量の全体に占める割合を視覚的に把握することができる。また、データ保存領域の空き容量も視覚的に把握することができる。その理由は、容量に応じたデータの配置を示した画面があるためである。
【００３２】
また、データの削除や移動等の管理の目安となる。その理由は、各データ容量の占める割合が分かるため、データ操作後のデータ保存領域の状態が想像できるためである。
【００３３】
さらに、データの管理を一画面で行うことが可能となる。その理由は、データ管理表示画面からデータの削除や移動等の操作ができるためである。
【実施例２】
【００３４】
データ管理画面にて膨大なデータ数を表示する場合に、一つ一つの表示が細かくなったり、各データに付加した色データがデータ保存領域の容量を占有する場合がある。第２実施例はこのような場合に対処するものである。
【００３５】
図５は本発明に係るデータ表示装置の第２実施例の構成図である。同図を参照すると、第２実施例ではデータ毎の色データを削り、データ種別毎に表示できるようにするため、図１の構成にデータ種別と表示色を関連づけた表示色設定テーブル７を追加している。なお、他の構成部分は図１と同様であるため同一番号を付し、その説明を省略する。
【００３６】
次に、第２実施例の動作について説明する。図６は第２実施例の動作を示すフローチャートである。
【００３７】
同図を参照すると、キー入力回路１にユーザー入力があり（Ｓ２１）、画面表示要求の入力があった場合（Ｓ２２にてＹの場合）は、データ管理画面作成部３は、データ制御部４を通じて、データ格納領域から全データの名称、容量、種別を取得する（Ｓ２３）。
【００３８】
次に、データ制御部４を通じて、表示色設定テーブル７を取得する（Ｓ２４）。データ管理画面作成部３は、それらのデータ、テーブルを使用して、データ管理画面を作成する（Ｓ２５）。  以降、第１実施例と同様な流れで、データ管理画面を表示する（Ｓ２６およびＳ２７）。
【００３９】
一方、キー入力回路１にて、フォーカス切り替え要求がある場合は（Ｓ２２にてＮ、ならびにＳ２８にてＹの場合）、フォーカス位置の変更に加えて、フォーカスの当て方をデータかデータ種別の切り替えの操作も行うことができる。
【００４０】
次に、該当するデータ名称、またはデータ種別名を表示する画面データを作成し（Ｓ２９）、同様に出力する
【００４１】
また、キー入力回路１にて、データ操作要求がある場合（Ｓ２２にてＮ、Ｓ２８にてＮ、ならびにＳ３０にてＹの場合）は、データ制御部４は、該当データの操作（削除や移動）を行う（Ｓ３１）。そして、データ管理画面作成部３にて、更新されたデータ保存領域６の表示を行う（Ｓ２３からＳ２７まで）。
【００４２】
なお、ステップＳ３０にてデータ操作要求がない場合は（Ｓ３０にてＹの場合）、動作終了となる。
【００４３】
以上説明したように、本発明の第２実施例によれば、各データをデータ種別毎に色分けすることにより、膨大なデータ数の管理が容易になる。
【実施例３】
【００４４】
図７は本発明に係るデータ表示装置の第３実施例の構成図である。同図を参照すると、図５の表示色設定テーブル７をもう一つ用意し、一方を初期設定用の表示色設定テーブル７、他方をユーザー設定用の表示色設定テーブル８とする。なお、他の構成部分は図５と同様であるため同一番号を付し、その説明を省略する。
【００４５】
ユーザーは、データの表示順番や表示色を変更する場合はユーザー設定用テーブル８にその表示順番や表示色を設定する。また、新しい種別を追加する場合はその種別、表示順番および表示色を設定する。さらに、ユーザー自信によるテーブル変更後も、初期設定用表示色設定テーブル７を選択することにより、初期状態に戻ることができる。
【００４６】
以上説明したように、本発明の第３実施例によれば、データの表示順番、表示色を変更することができ、また、新しい種別を追加することができる。また、ユーザーは、ユーザー自信によるテーブル変更後も初期状態に戻ることができる。
【実施例４】
【００４７】
図２の表示画面２のデータ名称表示部１２に、データ名に加えて、容量や日付等のデータに関する情報を加えて表示する。また、フォーカスが当たった時に、データの中身が分かるように、例えば、テキストファイルなら先頭の文字列を読み上げ、表示データならデータを表示し、音楽データ等なら音楽等を再生する。
【００４８】
以上説明したように、本発明の第４実施例によれば、データ名称表示部１２の機能を拡張することにより、さらに具体的な情報の表示が可能となる。
【実施例５】
【００４９】
第５実施例はデータ表示方法のプログラムに関するものである。図８は本発明に係るデータ表示装置の第５実施例の構成図である。第１実施例では制御部３０はソフトウエアで構成されると説明した。しかし、制御部３０をハードウエアで構成し、さらに記録媒体４０を追加して、これを制御部３０に接続するという構成も可能である。
【００５０】
そして、記録媒体４０には図４および図６にフローチャートで示すデータ表示方法のプログラムが格納されている。
【００５１】
制御部３０は記録媒体４０よりそのプログラムを読み出し、そのプログラムにしたがって画面表示部２０を制御する。その制御の内容は既に第１〜第４実施例で述べたので、ここでの説明は省略する。
【００５２】
以上説明したように、本発明の第５実施例によれば、データ表示方法のプログラム化が可能となる。
【図面の簡単な説明】
【００５３】
【図１】本発明に係るデータ表示装置の第１実施例の構成図である。
【図２】表示画面２の表示例の一例を示す図である。
【図３】図２に表示されたデータの具体例を示す図である
【図４】第１実施例の動作を示すフローチャートである。
【図５】本発明に係るデータ表示装置の第２実施例の構成図である。
【図６】第２実施例の動作を示すフローチャートである。
【図７】本発明に係るデータ表示装置の第３実施例の構成図である。
【図８】本発明に係るデータ表示装置の第５実施例の構成図である。
【符号の説明】
【００５４】
１  キー入力回路
２  表示画面
３  データ管理画面作成部
４  データ制御部
５  表示画面制御部
６  データ保存領域
７、８  表示色設定テーブル
１１  保存配置表示部
１２  データ名称表示部
２０  画面表示部
３０、３１，３２  制御部
４０  記録媒体
【図１】
2005275637.tif 000003
【図２】
2005275637.tif 000004
【図３】
2005275637.tif 000005
【図４】
2005275637.tif 000006
【図５】
2005275637.tif 000007
【図６】
2005275637.tif 000008
【図７】
2005275637.tif 000009
【図８】
2005275637.tif 000010